(57)【要約】  本発明は、計測スティックに関し、特に計測スティックの一端部に、前記計測スティックの縦軸に対して横方向に延在するストップを備えた折り畳み式の計測スティックに関する。  本発明の計測スティックは、磁気エレメントを計測スティックの先端に配置し、ストップを強磁性体製のエレメントで形成したことを特徴とする。
2008510970.tif 000002
【特許請求の範囲】
【請求項１】
計測スティック、特に折り畳み式の計測スティックで、該計測スティックの一端部に該計測スティックの縦軸に対して横方向に延在するストップを備え、磁気エレメントを前記計測スティックの先端に配置し、前記ストップを強磁性体製のエレメントによって形成したことを特徴とする計測スティック。
【請求項２】
前記磁気エレメントを永久磁石の形式にし、キャリアエレメントに配置したことを特徴とする請求項１記載の計測スティック。
【請求項３】
前記磁気エレメントを強磁性体製のヨークに配置した二つ以上の永久磁石で構成したことを特徴とする請求項１または請求項２記載の計測スティック。
【請求項４】
前記永久磁石を磁界強度が加わるように配置したことを特徴とする請求項３記載の計測スティック。
【請求項５】
前記ストップエレメントを配置可能な受容部を設けたことを特徴とする請求項１乃至４のうち、何れか１記載の計測スティック。
【請求項６】
前記受容部に前記ストップエレメントを収容可能な凹部を設けたことを特徴とする請求項５記載の計測スティック。
【請求項７】
前記受容部に保持磁石を設けたことを特徴とする請求項５または請求項６記載の計測スティック。
【発明の詳細な説明】
【技術分野】
【０００１】
本発明は、計測スティックに関し、特に計測スティックの一端部において、前記計測スティックの縦軸に対して横方向に延在するストップを備えた、請求項１のプリアンブルに云う折り畳み式の計測スティックに関するものである。
【０００２】
計測スティック、特に折り畳み式の計測スティックは、恐らく産業分野において長さの測定器としてしばしば使われる。前記折り畳み式の計測スティックは、充分な正確性を有し、容易な方法で幾何学上の寸法を測定することができる。
しかし、計測対象に関し、計測スティックの端部が計測位置を定めることのできるストップを設けていない、という問題がしばしばあった。このため、計測者はストップの代わりに、身近にあるものか、または手で計測位置を定めたりしていた。
【０００３】
このような問題が巻尺では生じないのは、通常、巻尺は巻尺の端部がハウジングに入る限度で、巻き上がりを防止するストップを備えているためである。このストップによって、巻尺の端部を、例えば板等の計測対象の一端に、容易に位置を定めることができる。
【０００４】
しかし、このようなストップを備えた計測スティック、または折り畳み式の計測スティックは、知られていない。優先日より前に公開されていない特許出願人の先行特許出願では、計測スティック、特に折り畳み式の計測スティックが提案されている。
前記先行特許出願の折り畳み式計測スティックは、ストップを該スティックに対して垂直に配置し、該ストップを該スティックの縦軸にオフセットして配置し、計測スティックから突出した垂直突部は目盛の始点と一致するように設けている。
【０００５】
このような形式の計測スティックのストップにおいて、例えば計測する板の端部表面に位置を定める場合、目盛の始点を板の端部に対して厳密に一直線に保持しなければならない。
【０００６】
このような形式の計測スティックのストップを、計測スティックの目盛に面していない面にしっかりと取り付けることは可能であるが、ストップは計測スティックに連結したストップエレメントを移動することによって配置し得る。特に、前記ストップエレメントは折り畳まれ、または前記スティックから押し出され、または引き出される。
したがって、折り畳むことのできるストップエレメントは、例えば計測スティックの端部の部品を形成することができる。
【０００７】
前記ストップエレメントは、該エレメントと計測スティックの表面を同一平面に配置するため、便宜上、計測スティックの表面に隣接し、計測スティックに収容可能にしている
前記計測スティックの端面の凹部から、例えばバネの力に反発して引き出し可能な延在したストップエレメントは、引き出し後、端面に対し横方向の状態で横方向に動かすことができる。
計測スティックの端部から、目盛はすぐに始まる。
このような形式の計測スティックは、当時知れられていた計測スティックとしては非常に優れていたが、まだ最適ではない。
【０００８】
本発明は、容易で非常に確実な方法で操作できる前記形式の計測スティックを形成することを目的とする。
この目的は、請求項１の特徴によって達成される。本発明の有利な発達した点は、サブクレームにおいて発見されるだろう。
【０００９】
本発明は、計測スティック、特に計測スティックの一端部に、計測スティックの縦軸に対して横方向に延在するストップを備え、計測スティックの端部に磁気エレメントを配置し、前記ストップを強磁性体製のエレメントによって形成したことを特徴とする。
【００１０】
前記ストップが、計測スティックの縦軸に対して横方向に延在する計測スティックの端部に、磁気エレメントを配置し、前記ストップを強磁性体製のエレメントによって形成したことによって、第一に非常に正確なストップを、第二に非常に確実なストップを得られる。後者は、前記ストップが非常に衝撃に影響されやすいことを意味している。
【００１１】
前記ストップエレメントが、磁力によってのみ計測スティックに連結されるため、前記ストップエレメントは曲がったり、破損したりしない。
もし、外部から前記ストップエレメントに作用する力が、計測スティックにストップエレメントを保持する磁力を超える場合は、ストップエレメントは撓む。
【００１２】
しかし、前記磁力がストップエレメントに作用し続けるため、ストップエレメントが撓む場合、該ストップエレメントは、計測スティックから有利に分離することができない。
その際、ストップエレメントが遺失するよりも、計測スティックの不確定な位置に付着する方が好ましい。前記計測スティックを変化していない状態で再び使用する際は、ストップエレメントを所定の位置に戻すだけで良い。
【００１３】
磁気エレメントを永久磁石で形成し、非磁性体、例えばプラスティックまたはアルミニウムで有利に構成したキャリアエレメントに配置することにおいて、本発明の実施形態が非常に有利であると分かる。永久磁石として磁気エレメントを形成するのは、標準エレメントを使用することができ、これが費用の面で非常に好都合であるためである。
【００１４】
前記キャリアエレメントに磁気エレメントを配置したのは、非常に容易な方法で磁気エレメントを計測スティックに連結可能にするためである。
例えばキャリアエレメントは、例えば計測スティックに取り付けるために形成され、その結果、計測スティックは、本発明における方法でその後に変更できる。前記キャリアエレメントは、分離した構成要素として設けられる。
【００１５】
最後に述べた実施形態において、前記磁気エレメントを強磁性体製のヨークを配置した複数の永久磁石で構成する場合、特に有利である。前記ヨークは低磁気抵抗の材料で有利に構成する。
前記ヨークによって、磁気エレメントは有利な強い磁力を有する。特に、磁界強度も加わるように永久磁石を配置することが可能である。二つの永久磁石の場合、一方の磁石がＮ極によってヨークに連結し、もう一方の磁石がＳ極によってヨークに連結する。
【００１６】
前記キャリアエレメントが、非磁性体、例えばプラスティックまたはアルミニウムで構成されているため、キャリアエレメントは通常の断面を有する細長い切片から、容易な方法で配置できる。  
前記キャリアエレメントは非磁性体で構成されるから、磁気エレメントの動作に実質的に影響を与えない。
【００１７】
本発明の非常に有利な実施形態は、受容部の形式を採っている保持手段およびストップエレメントが配置可能に備わっていることを特徴とする。これによって、ストップエレメントは常に計測スティックに位置し、容易かつ素早い手段で使用できる。
【００１８】
本発明の非常に有利な実施形態は、前記保持手段がストップエレメントを配置可能な凹部を設けていることを特徴とする。前記凹部によって、前記ストップエレメントはしっかりと収容される。  
したがって、計測スティックの通常の使用において、前記ストップエレメントの特別な配慮は不要である。少なくとも一つの保持磁石を受容部に備えている場合、特に有利である  前記ストップエレメントは、前記保持磁石によって同様に非常にしっかりと確実な方法で収容される。
【００１９】
より詳細には、本発明の要部と利点は、図面の特に典型的な実施形態に関する以下の説明に見られる。
【００２０】
図１は、計測スティックの一端部の断面の平面視図である。図２は、図１に示した計測スティックの端部の断面の側面視図である。図３は、キャリアエレメントの別の実施形態の断面の側面視図である。
【００２１】
図１および図２に示すように、キャリアエレメント３は計測スティック７の一端部に配置されている。前記キャリアエレメント３はＨ字型のアルミニウムの側面を有し、前記計測スティック７に押し付けている。前記計測スティック７を固定するため、前記キャリアエレメントを接着するか、または計測スティック７にリベットで締結している。
【００２２】
前記ヨーク４は鉄で構成され、計測スティック７に面していない端部であるＨ字型側面２の横材に固定される。前記ヨーク４は、矩形断面の棒材である。二つの円柱状の永久磁石２ａ，２ｂは前記ヨーク４に配置される。
前記ヨーク４および永久磁石２ａ，２ｂの寸法は、ヨーク４に面していない永久磁石２ａ，２ｂの側面が、Ｈ字型側面３の上端部で一直線となるようにされている。
【００２３】
前記一直線を成す線は、計測スティック７の基準点に一致する。
前記ヨーク４および永久磁石２ａ，２ｂは、混合物８によって前記Ｈ字型側面３に固定される。
前記永久磁石２ａ，２ｂは、上部の永久磁石２ａのＮ極がヨーク４に連結し、一方で下部の永久磁石２ｂのＳ極がヨーク４に連結するように配置される。
【００２４】
小板１が鉄で構成され、ヨーク４に面していない磁石２ａ，２ｂの側面に結合されてストップが形成されている。
前記小板１が磁力のみによって計測スティック７に連結されるため、容易な方法で計測スティック７から分離することができる。特に、計測スティック７または小板１に損傷を与えることなく、計測スティック７から離れて小板１を曲げることができる。
【００２５】
前記小板１の幾何学上の寸法に概ね対応した幾何学上の寸法を有する凹部５が、計測スティック７に形成されている。その結果、小板１は凹部５に配置可能になる。凹部５に小板１をしっかりと保持するため、計測スティック７の凹部５の真下に二つの永久磁石６を配置している。その結果、小板１は凹部５に確実に保持される。
【００２６】
図３に示すキャリアエレメント３´の実施形態では、ヨーク４´および永久磁石２ａ´，２ｂ´は、側面３´に封入されていない。また、前記側面３´はＨ字型側面を形成していないが、一側面は溝を備えた箱型で、他面はＵ字型の側面を形成する。
更に、磁石２ａ，２ｂは円柱状でなく、Ｔ字型の縦断面を有する。実際の永久磁石２ａ´，２ｂ´のＴの部分は溝を通して伸長する。結果として、永久磁石２ａ´，２ｂ´が離れ落ちることが防止される。
【００２７】
前記永久磁石２ａ´，２ｂ´は側面の横に入り込んでいるだけに留まる。前記ヨーク４´は同様に側面３´の横に入り込んでいるだけに留まる。前記ピン３ａ´によってヨーク４´が横方向に摺動することが防止される。
前記永久磁石２ａ´，２ｂ´の磁力によって、永久磁石２ａ´，２ｂ´はしっかりとヨーク４´に連結されているため、同様に永久磁石２ａ´，２ｂ´が側面３´から横方向に摺動することが防止される。
【００２８】
図１および図２に示す実施形態で、キャリアエレメント３´は計測スティック７に押し付けられ、粘着物で接着するか、またはリベットで締結されて固定されている。
【図１】
2008510970.tif 000003
【図２】
2008510970.tif 000004
【図３】
2008510970.tif 000005
【国際調査報告】
2008510970.tif 000006
2008510970.tif 000007
2008510970.tif 000008
2008510970.tif 000009
2008510970.tif 000010
2008510970.tif 000011